(57)【特許請求の範囲】
【請求項１】
主面に、マイコン制御部として機能する第１領域と、記憶部として機能する第２領域と、前記第１領域と前記第２領域とをそれぞれ外部に電気的に接続するための複数の電極パッドとを有する半導体チップと、
前記半導体チップの裏面を支持するように前記半導体チップを搭載するチップ搭載部と、
前記半導体チップの周囲を囲むように配置された複数のリードと、
前記半導体チップの複数の電極パッドと前記複数のリードの一端とをそれぞれ接続する複数の接続線と、
前記半導体チップ、前記チップ搭載部、前記複数のリードの一端及び前記接続線を樹脂封止する封止部材と
を備え、
前記半導体チップは、平面視において四角形状を有し、
前記複数の電極パッドは、前記第１領域の周囲を囲むように配置され、かつ、
前記第２領域は、前記複数の電極パッドで囲まれた領域の外側に配置され、
前記樹脂部材を形成するための樹脂封止用の充填口は、前記半導体チップの一つの角部に対応する位置に配置され、
前記第１領域は、前記一つの角部の対角線上に位置する他の角部側に変位して配置されていることを特徴とする半導体装置。
【請求項２】
前記接続線は金線であり、前記他の角部側の接続線の長さは、前記一つの角部側の接続線よりも短いことを特徴とする請求項１記載の半導体装置。
【発明の詳細な説明】
【０００１】
【発明の属する技術分野】
この発明は、半導体装置に関する。さらに具体的には、半導体装置の製造の際、半導体チップと外部電極端子とを接続する複数の接続線同士あるいは接続線と半導体チップの近接・接触を抑えることができるようにした半導体装置に関するものである。
【０００２】
【従来の技術】
図１１は、従来の半導体装置を説明するための模式図であり、図１１（ａ）は、上面からの透視図、図１１（ｂ）は、断面図である。
図１１（ａ）及び図１１（ｂ）に示すような、半導体装置２００において、搭載された半導体チップ２の表面には、内部能動領域４、その周囲に外部能動領域６が形成されている。また、外部能動領域６のさらに外側、即ち、半導体チップの外周部に、電極であるパッド８が配置されている。
【０００３】
半導体チップ２は、搭載部であるダイパッド１２に搭載されている。また、接続線である金線１０は、外部電極端子１４の半導体チップ２に対向して形成された部分であるインナーリード１４Ａと、半導体チップ２表面上のパッド８とをループ状に接続する。
【０００４】
このような半導体装置２００においては、パッドは外周部に配置されるため、設計時間が増加する。また、パットを特定位置に配置しなければならないために無駄なスペースが存在する。従って、処理能力の低下やチップサイズの増大、また、これに伴うコストアップが生じたりするため問題となっている。
【０００５】
また、金線１０は、インナーリード１４Ａと、パッド８をループ状に接続する。しかし、金線１０がループ状に配置された場合、金線１０と、半導体チップ２の外周端部２Ａとが近接、あるいは接触してしまう場合がある。
【０００６】
特に、半導体装置３００は、半導体チップ２、ダイパッド１２、金線１０、インナーリード１４Ａ等を、所定の型に入れ、型の一角に備えられた充填口から、封止部材としてのモールド樹脂１６を注入することにより、封止されている。そのため、型にモールド樹脂１６が流し込まれる時に金線１０が流れ込むモールド樹脂１６に押し倒され、金線１０と半導体チップ２の外周端部２Ａが接触したり、また、金線１０同士が接触したりする場合がある。
【０００７】
【発明が解決しようとする課題】
以上説明したように、電極を外部能動領域の外側、即ち、半導体チップの外周に配置した半導体装置は、設計時間の増加や、チップサイズの増大という問題が生じる。また、接続線は一般にループ状に電極と外部電極とを結ぶため、特に樹脂封止の際、半導体チップの外周端部に接続線が接触してしまう場合もある。
【０００８】
従ってこの発明は、このような問題を解決するため、設計時間の増加やチップサイズの増大を抑えつつ、かつ、接続線同士あるいは接続線と半導体チップ端部との接触を抑えることを可能にした半導体装置を提案するものである。
【０００９】
【課題を解決するための手段】
この発明の半導体装置は、内部能動領域と、外部能動領域と、前記内部能動領域及び外部能動領域をそれぞれ外部に電気的に接続するための複数の電極と、を有する半導体チップと、
前記半導体チップを搭載する搭載部と、
一端が前記半導体チップに対向して配置され他端が外部に接続される複数の外部電極端子と、
前記半導体チップの電極と前記外部電極端子の一端とをそれぞれ接続する複数の接続線と、
前記半導体チップ、前記搭載部、前記外部電極端子の一端及び前記接続線を樹脂封止する封止部材と
を備え、
前記電極は前記内部能動領域の周囲に配置され、かつ、前記外部能動領域は、前記電極より外側に配置されたものである。
【００１０】
また、この発明の半導体装置は、前記内部能動領域が、前記半導体チップの中心から変位して配置されたものである。
【００１１】
また、この発明の半導体装置は、前記内部能動領域が、前記封止部材の充填口に対して対向角となる方向に配置するものである。
【００１２】
また、この発明の半導体装置は、前記外部電極端子が、外部に接続されるアウターリードと、
前記封止部材の内部に前記半導体チップに対向するように配置されたインナーリードと、
を含むものである。
【００１３】
また、この発明の半導体装置は、前記搭載台表面が、前記インナーリードに対して２５０μｍ以上、下方になる位置に配置されているものである。
【００１４】
また、この発明の半導体装置は、前記接続線の長さが、前記充填口及び前記充填口の対向角付近に配置するものについては、７．0ｍｍ以下であり、他の２角の付近に配置するものについては、６．０ｍｍ以下であるものである。
【００１５】
また、この発明の半導体装置は、前記接続線が、前記半導体チップの電極と接続する一端と、前記外部電極端子と接続する他端との間に、第一の屈曲点と第二の屈曲点とを有し、
前記第一の屈曲点は、前記半導体チップの電極の上方に位置し、前記半導体チップ表面から、前記第一の屈曲点までの距離は２５０μm以上あるものである。
【００１６】
また、この発明の半導体装置は、前記接続線が、前記半導体チップの電極と接続する一端と、前記外部電極端子と接続する他端との間に、第一の屈曲点と第二の屈曲点とを有し、
前記第一の屈曲点から、前記半導体チップの外周端部の上方までの間に配置された接続線の長さは、前記接続線全体の長さに対して３０％〜７０％であるものである。
【００１７】
また、この発明の半導体装置は、前記接続線が、前記半導体チップの電極と接続する一端と、前記外部電極端子と接続する他端との間に、第一の屈曲点と第二の屈曲点とを有し、
前記第一の屈曲点から前記第二の屈曲点までの接続線の長さは、前記接続線全体の長さに対して、７０％以下であるものである。
【００１８】
また、この発明の半導体装置は、前記接続線が、前記半導体チップの電極と接続する一端と、前記外部電極端子と接続する他端との間に、第一の屈曲点と第二の屈曲点とを有し、
前記第一の屈曲点及び前記第二の屈曲点との間に、前記半導体チップの外周端部が位置するように配置されたものである。
【００１９】
また、この発明の半導体装置は、前記接続線が、前記半導体チップの電極と接続する一端と、前記外部電極端子と接続する他端との間に、第一の屈曲点と第二の屈曲点とを有し、
前記接続線の前記第一の屈曲点と、前記第二の屈曲点とを結ぶ部分は、前記半導体チップの表面に対してほぼ平行であるものである。
【００２０】
また、この発明の半導体装置は、前記搭載部の下面が、前記封止部材から露出しているものである。
【００２１】
また、この発明の半導体装置は、前記接続線が、純度９９．９９％以上の金線であるものである。
【００２２】
また、この発明の半導体装置は、前記接続線が、直径が２０μｍ以上であるものである。
【００２３】
また、この発明の半導体装置は、前記封止部材が、クレゾールノボラック系エポキシ樹脂または、ビフェニル系エポキシ樹脂を主成分とし、無機充填材を７０％以上含有しているものである。
【００２４】
また、この発明の半導体装置は、前記封止部材において、樹脂の流動特性は、スパイラルフローが１００ｃｍ以上、溶融粘度が１５．０Ｐａ・ｓ以下であるものである。
【００２５】
また、この発明の半導体装置は、前記半導体チップの電極の大きさが５０μｍ×５０μｍ以上であるものである。
【００２６】
【発明の実施の形態】
以下、図面を参照して本発明の実施の形態について説明する。なお、各図において、同一または相当する部分には同一符号を付してその説明を簡略化ないし省略する。
【００２７】
実施の形態
図１は、この発明の実施の形態における半導体装置を示す図であり、図１（ａ）は上面からの透視図、図１（ｂ）は、断面図を示す。また、図２は、封止部材の樹脂特性を示す表である。
図１（ａ）及び（ｂ）において、１００は、半導体装置を示す。
【００２８】
１６は、封止部材である。封止部材１６は、半導体装置１００のパッケージに用いられる。この実施の形態において封止部材１６は、クレゾール系エポキシ樹脂を主成分とし、無機充填材が７０％以上含有するものであり、図２に、モールド樹脂Ａとして示されるような樹脂特性を有する。
封止部材１６は、後に説明する半導体装置１００の各構成要素を組み立てた後、これを型に入れた状態で、型の一方の充填口から充填される。これによって、半導体装置１００の各構成要素が封止される。
尚、図１（ａ）において、１６Ａは、充填口を示し、１６Ｂ及び１６Ｃは、この充填口１６Ａから見て、それぞれ右角、左角を示し、１６Ｄは、充填口に対して対向角を示す。
【００２９】
２は、半導体チップを示し、１２は、ダイパッドを示す。ダイパッド１２は、半導体チップを搭載する搭載部である。半導体チップ２は、ダイパッド１２の上部に搭載されている。
１４は、外部電極端子であるリードを示す。また、１４Ａは、インナーリード、１４Bはアウターリードを示す。リード１４は、インナーリード１４Ａとアウターリード１４Ｂを含んで構成される。インナーリード１４Aは、半導体チップ１２に対向して配置され、封止部材１６内部に埋め込まれた部分であり、アウターリード１４Bは、封止部材１６から突出し、外部の電極に接続する部分である。尚、インナーリード１４Ａは、図１（ａ）において、簡略化し、四方に台形の形状で表されているが、実際には、接続線を形成することができるように凹凸を有する。
【００３０】
４は、内部能動領域を示し、６は、外部能動領域を示す。内部能動領域４及び外部能動領域６は、半導体チップ２の表面に形成されている。内部能動領域４は、たとえばマイコン制御部等の制御部として機能し、外部能動領域６は、主に記憶部として機能する。また、８は、電極であるパッドを示す。パッド８は、内部能動領域の周囲に配置され、内部能動領域４及び外部能動領域６を外部に電気的に接続する。各パッド８は、ここでは、８０μｍ×８０μｍ程度の大きさのものを用いる。
【００３１】
半導体チップ２の表面において、内部能動領域４及びその周囲に配置されたパッド８は、半導体チップ２表面の中心から、充填口１６Ａに対する対向角１６Ｄの方向に変位して配置されている。
また、外部能動領域６は、この実施の形態においては、充填口１６Ａと、右角１６Ｂあるいは左角１６Ｃとの間付近に配置されている。
【００３２】
１０は、金線を示す。金線１０は、半導体チップ２上のパッド８と、インナーリード１４Ａとを結ぶ接続線である。この実施の形態では、金線１０として、純度９９．９９％以上かつ直径が２０μｍ以上のものを用いる。金線１０は、一端において、パッド８に接続され、上方に伸び、第一の屈曲点１０Ａにおいて、半導体チップ２表面とほぼ平行な方向に屈曲し、第二の屈曲点１０Ｃにおいて、インナーリード１４Ａの方向に屈曲し、他端において、インナーリード１４Ａに接続している。
【００３３】
この実施の形態において、金線１０の長さは、充填口１６Ａ付近に配置されたインナーリード１４Ａとパッド８とを接続する部分において最長となるが、この部分の金線でも、７．００ｍｍ以下である。また、右角１６Ｂあるいは左角１６Ｃ付近に配置されたインナーリード１４Aとパッド８とを接続する金線は、６．００ｍｍ以下である。さらに、対向角１６D付近のインナーリードとパッド８とを結ぶ部分では金線１０の長さは最短となり、この部分の金線１０は、３．００ｍｍ程度である。
【００３４】
また、この実施の形態においては、第一の屈曲点１０Ａと第二の屈曲点１０Ｃとの間の金線１０は、半導体チップ２の上面に対してほぼ平行である。即ち、半導体チップ２表面と第一の屈曲点１０Ａとの距離を示す第一のループ高さと、半導体チップ２表面と第二の屈曲点１０Ｃとの距離を示す第二のループ高さとはほぼ同一であり、この実施の形態においては、約２５０μｍ以上である。
【００３５】
金線の半導体チップ２外周端部２Ａの上方に位置する部分１０Ｂと、第一の屈曲点１０Ａまでの長さを示すチップ上ループ長は、各金線１０の全長の３０〜７０％程度である。チップ上ループ長は、金線１０の長さが最長である７．００ｍｍ程度の金線において最長であり、この最長チップ上ループ長は、２．１０〜４．９０ｍｍ程度である。
また、第一の屈曲点１０Ａと第二の屈曲点１０Ｃまでの長さを示すトップループ長は、各金線１０の全長の７０％以下である。トップループ長は、金線１０の長さが最長である７．００ｍｍ程度の金線１０において最長であり、この最長トップループ長は、４．９０ｍｍ程度である。
【００３６】
また、各金線１０のトップループ長は、チップ上ループ長より長い。即ち、第二の屈曲点１０Ｃは、半導体チップ２外周端部２Ａの上方に位置する部分１０Ｂに対して、インナーリード１４Ａ側にある。
【００３７】
また、ダイパッド１２の表面が、インナーリード１４Ａの上面と同じ高さとなる位置を基準位置とする場合、ダイパッド１２は、この基準位置に対して、２５０μｍ以上沈めた状態で配置されている。
【００３８】
尚、この明細書において、上述したように、第一のループ高さとは、半導体チップ２表面と第一の屈曲点１０Ａとの距離をいい、第二のループ高さとは、半導体チップ２表面と第二の屈曲点１０Ｃとの距離をいう。また、チップ上ループ長とは、金線の半導体チップ２外周端部２Ａの上方に位置する部分１０Ｂと、第一の屈曲点１０Ａまでの長さをいい、トップループ長とは、第一の屈曲点１０Ａと第二の屈曲点１０Ｃまでの長さをいう。さらに、インナーリード１４Ａとダイパッド１２の上面が同じ高さにある場合を基準として、この基準位置から、実際のダイパッド１２の表面までの距離を、ダイパッド沈め量という。
【００３９】
以上説明したように、半導体装置１００においては、半導体チップ２表面において、内部能動領域４が、対向角１６Ｄの方向に変位している。これによって、封止部材１６充填の際に、金線１０が、最も押し倒されやすい右角、左角付近のインナーリード１４Ａに配置される金線１０を短くすることができ、金線が押し倒されることによる隣接する他の金線あるいは半導体チップの外周端部との接触を防止することができる。
【００４０】
これについて、説明するため、半導体チップ上の内部能動領域の位置及び大きさを変化させることにより各金線の長さを変化させたサンプルを用いて、各サンプル封止の際の金線の流れ等について確認した。
【００４１】
図３は、各サンプルの半導体チップ上に配置された内部能動領域の配置位置、及び金線の状態について説明する表である。また、図４は、各サンプルにおける評価を示した表である。
【００４２】
図３に示す概略図は、半導体チップの表面上における内部能動領域の配置位置を示すものであり、ａ、ｂ、ｃ、ｄ、はそれぞれ上述した充填口１６Ａ、右角１６Ｂ、左角１６Ｃ、対向角１６Ｄに対応する位置を示す。尚、金線を接続するパッドは、概略図においては記載されていないが、内部能動領域の周囲に配置されている。
【００４３】
図３において、１から５のサンプルグループＩと６から１０のサンプルグループＩＩについては、内部能動領域のサイズを変化させることにより、金線の長さを変化させて比較するためのものである。即ち、グループＩのサンプルと、グループＩＩのサンプルについては、それぞれ、最長金線長、チップ上ループ長、第一のループ高さ、第二のループ高さを同じくするものである。
【００４４】
また、各グループにおいては、内部能動領域の半導体チップ上の配置位置を変更させている。即ち、サンプル１、６は中央部に、サンプル２、７は、対向角の方向ｄに、サンプル３、８は、右角の方向ｂに、サンプル４、９は、充填口の方向ａに、サンプル５、１０は、左角の方向ｃに変位するように内部能動領域を配置している。
【００４５】
図４を参照して、上述したような各サンプルについての金線流れ等の評価について説明する。尚、図４において、金線流れ曲率とは、樹脂封止の際、各金線の長さに対して金線が流れた量、即ち弓なりになったときの最大変位量を示し、金線近接とは、金線同士の近接距離を示し、ダイパッドシフト量とは、樹脂封止の際に、ダイパッドが上下に動く量を示す。
【００４６】
まず、金線近接について見ると、グループＩのサンプルにおいては、２８μｍ以上であり、グループＩＩのサンプルにおいては、５０μｍ以上ある。
また、金線と半導体チップの外周端部との最小距離は、グループＩのサンプルに対して、グループＩＩのサンプルの方が、全体に大きい。
このような結果から、金線の長さは、金線の最長の長さを７．００ｍｍ以下とし、右角及び左角付近のインナーリードに接続する金線の長さを６．００ｍｍ以下とするのが妥当であると考えられる。
【００４７】
図５及び図６は、半導体チップの中央に内部能動領域を配置した半導体装置のサンプルについて、各角付近に配置される金線の流れ曲率を測定した結果を示すグラフである。図５は、金線の長さが最長約７．００ｍｍの場合を示し、図６は、金線の長さが約５．００ｍｍの場合を示す。
また、図５及び６において、▲１▼、▲２▼は、充填口を挟み、充填口に最も近いインナーリードに接続された金線についての金線流れ曲率であり、同様に▲３▼、▲４▼は、右角、▲５▼、▲６▼は、対向角、▲７▼、▲８▼は、左角部分の金線を示す。
この結果より、金線流れ曲率が最も大きくなるのは、金線の長さが７．００ｍｍの場合でも、また、５．００ｍｍの場合でも、左角及び右角付近であることがわかる。
【００４８】
さらに、図４の各グループ内の半導体チップの評価結果を比較すると、半導体チップの表面上、内部能動領域が対向角の方向ｄに配置されている場合に、金線と半導体チップの外周端部との最小距離が最も大きくなることがわかる。これは、内部能動領域を、半導体チップの中央から、対向角の方向に変位させた場合に、左右角付近での金線の長さが平均的に短くなるからであると考えられる。
【００４９】
以上より、内部能動領域を半導体チップの表面上対向角の方向に変位して配置することが、金線と半導体チップ外周端部との接触を防ぐためには、最も有効と考えられる。
【００５０】
また、この実施の形態においては、第一のループ高さ及び第二のループ高さをほぼ同一にし、金線１０の第一の屈曲点１０Ａから、第二の屈曲点１０Ｃ間での部分を半導体チップ２表面とほぼ平行になるように配置した。これによって、封止部材１６充填の際に、金線１０が、押し倒され、他の金線、あるいは半導体チップの端部と接触するのを防止することができる。
【００５１】
これについて、説明するため、半導体チップ上の内部能動領域の大きさを変化させることにより、各金線の長さを変化させ、かつ、ダイパッド沈め量及びトップループ長を変化させたサンプルを用いて、各サンプル封止の際の金線の流れ等を確認した。
【００５２】
図７は、各サンプルの、金線の長さ、ダイパッドの沈め量及びトップループ長等の状態について説明する表であり、図８は、その評価について示した表である。
【００５３】
サンプル１１〜１３とサンプル１４、１５とは、ダイパッドの沈め量が異なる。
図８を参照してこのサンプル１１から１３と１４及び１５とを比較すると、金線が半導体チップに対して平行な１４及び１５の方が、金線と半導体チップ外周端部との距離の最小値が大きく、また、金線と金線との間の距離も大きいことがわかる。
この結果から、ダイパッドの沈め量は、２５０μｍ以上であることが好ましいと考えられる。
【００５４】
さらに、図３の表と図７の表を参照して、図３に示すサンプル１〜１０については、第一のループ高さと、第二のループ高さが異なるが、図７に示すサンプル１１〜１５については、第一のループ高さと第二のループ高さがほぼ同じ程度である。すなわち、図７に示すサンプルについては、第一の屈曲点と第二の屈曲点を結ぶ部分の金線は、半導体チップの表面に対してほぼ平行であると考えられる。
【００５５】
このサンプル１〜１０と、サンプル１１〜１５の評価結果を図４及び図８を参照して比較すると、サンプル１１〜１５の方が金線と半導体チップの外周端部との最小距離が大幅に大きいことがわかる。
これは、金線が押し倒される位置が、第一の屈曲点から第二の屈曲点までの部分ではなく、第二の屈曲点からインナーリードまでの部分であるためと考えられる。即ち、金線を平行に保つために、第二の屈曲点において、強くくせ付けすることとなるために、第二の屈曲点からインナーリードまでの部分の張力は、平行にしない場合より張力が高くなっているためであると考えられる。
このような結果から、第一の屈曲点と第二の屈曲点を結ぶ部分の金線は、半導体チップ表面に対して平行である方が、金線同士の接触等を防ぐ上で有効であると考えられる。
【００５６】
また、この実施の形態において、第一のループ高さ及び第二のループ高さを、ともに２５０μｍ以上とし、チップ上ループ長を金線全体の長さの３０〜７０％、トップループ長を金線全体の７０％以下とし、さらに、第二の屈曲点１０Ｃの位置を、半導体チップの外周端部上方よりも、インナーリードに近い位置に配置されるようにした。これによって、さらに、封止部材１６充填の際に、金線１０が押し倒され、他の金線等と接触するのを防止することができる。
【００５７】
これについて説明するため、半導体チップ上の内部能動領域の配置位置及び金線長、チップ上ループ長、トップループ長、第一のループ高さ、第二のループ高さを変化させたサンプルを用いて、各サンプル封止の際の金線の流れ等について確認した。
【００５８】
図９は、各サンプルの内部能動領域の配置位置及び金線の状態について説明する表であり、図１０は、各サンプルにおける評価を示した表である。
【００５９】
まず、サンプル４、５は、第一、第二のループ高さのみ異なるサンプルである。図１０を参照して、このサンプル４、５について比較すると、ループ高さの高いサンプル５の方が、金線と半導体チップの外周端部との距離を大きくとることができる。
この結果から、第一、第二のループ高さは、大きい方が望ましく、２５０μｍ以上であることが望ましいと考えられる。
【００６０】
また、サンプル７、８は、金線全体の長さに占めるトップループ長の割合のみ異なるサンプルである。図１０を参照して、このサンプル７及び８を比較すると、トップループ長は、長く取ったほうが、金線と半導体チップの外周端部との距離を大きくとることができることがわかる。
【００６１】
また、サンプル１〜４において、チップ上ループ長をそれぞれ、金線長の１０％〜６５％程度まで変更させている。図１０を参照して、このサンプル１〜４について比較すると、このようにチップ上ループ長を変化させても、金線長の７０％程度までは問題ないことがわかる。
【００６２】
以上説明したように、この実施の形態においては、内部能動領域４の周囲に、パッド８を配置し、その外側に外部能動領域８を配置する。従って、半導体チップの外周にパッドを配置する場合に比べて、設計時間を短縮でき、また半導体チップの縮小化を図ることが出来る。
また、この実施の形態においては、樹脂封止の際の金線の流れを考慮して、金線１０の長さ、形状や、ダイパッドの位置などが決められている。従って、樹脂封止の際の金線１０同士の接触や、半導体チップ２の外周端部２Aと金線１０との接触を効果的に防止することができる。
【００６３】
なお、この実施の形態においては、内部能動領域４を、対向角１６Ｄの方向に変位して配置した。これは、上述したように、樹脂封止の際、金線の流れやすい、右角１６Ｂ、左角１６Ｃ付近の金線１０を、効果的に短くし、金線の接触等を防止するためである。しかし、これに限るものではなく、中央からいずれかの方向に変位させたものであってもよい。また、金線１０の形状等を考慮すれば、内部能動領域が、半導体チップの中央に配置されているものでもよい。
【００６４】
また、この実施の形態の半導体チップ２においては、対向角１６Ｄと右角１６Ｂあるいは左角１６Ｃとを結ぶ部分の付近には外部能動領域を配置せず、内部能動領域４を十分に対向角方向に変位させている。しかし、これに限るものでもなく、外部能動領域は、内部能動領域を配置して、半導体チップの表面上、スペースの空いている部分に配置すればよい。また、内部能動領域の中央からの変位量を小さくして、これらの部分にも小さな外部能動領域を配置しても良い。
【００６５】
また、この実施の形態において、ダイパッドの沈め量は、２５０μｍ以上とした。これは、金線１０が、半導体チップ２の外周端部２Ａに接触することを防止するために効果的な値だからである。従って、例えば、ダイパッドは、裏面が封止部材から露出するものであっても良い。但し、この範囲に限るものではなく、内部能動領域の配置位置や金線の長さ、接続の形状等を考慮すれば、ダイパッド沈め量が２５０μｍ以下のものであっても良い。
【００６６】
また、この実施の形態において、第一の屈曲点と第二の屈曲点との間の金線１０を半導体チップに平行になるようにして配置した。また、ループ高さを２５０μｍ以上とした。また、トップループ長は、各金線の７０％以下とし、チップ上ループ長を３０〜７０％程度とした。これらの条件は、特に樹脂封止の際、金線１０同士あるいは金線１０と半導体チップの外周端部２Ａが接触することを効果的に防止するためである。しかし、このような条件を全て備える場合に限るものではなく、接触を防止できる範囲でいずれかの条件を備えるものであればよい。
【００６７】
また、この実施の形態において、封止部材１６として、クレゾール系エポキシ樹脂を主成分とし、無機充填材を７０％以上含有し、図２に示す樹脂特性を有するモールド樹脂Ａを用いたが、これに限るものではなく、例えば図２に示すような、モールド樹脂Ｂのような特性を有するものを用いても良い。
【００６８】
また、この実施の形態においては、接続線として、純度９９．９９％以上かつ直径が２３μｍの金線を用いたが、これに限るものではない。
また、電極として、８０μｍ×８０μｍのパッドを用いたが、これに限るものではない。ただし、電極の大きさは、金線を電極にボンディングする関係上、５０μｍ×５０μｍ以上であることが望ましい。
【００６９】
さらに、この実施の形態においては、外部電極端子としてインナーリード及びアウターリードを有するパッケージを用いて説明したが、このようなものに限らず、例えば、搭載台の背面にボール上の外部電極端子を備えたパッケージなど、他のパッケージにも応用できるものである。
【００７０】
また、この実施の形態においては、内部能動領域の位置を変更することにより、金線の長さを変更させ、また、併せて、金線の接続形状等を変化させて、金線の接触を防止したが、上述したような条件が満たされるように、パッドの配置位置や、インナーリードの配置位置を変化させるものであっても良い。
さらに、金線の流れが大きい部分に関しては、特別にパッドやインナーリードの位置を変化させて対応することも考えられる。
【００７１】
【発明の効果】
以上説明したように、この発明においては、内部能動領域の周囲に、電極を配置し、その外側に外部能動領域を配置する。従って、半導体チップの外周にパッドを配置する場合に比べて、設計時間を短縮でき、また半導体チップの縮小化を図ることが出来る。
【００７２】
また、この発明においては半導体チップ上における内部能動領域の配置位置を変位させることにより、封止部材の充填の際、押し倒されやすい部分の接続線を短くすることができる。従って、電極を内部能動領域周囲に配置し、設計時間の増加やチップサイズの増大を抑えつつ、かつ、接続線同士あるいは接続線と半導体チップ端部との接触を抑えることができる。
【００７３】
また、この発明においては、接続線の長さ、接続の形状、あるいは半導体チップを搭載する搭載部の位置等を、封止部材の充填の際に接続線が押し倒されにくいように構成する。従って、接続線同士の接触や、半導体チップと接続線との接触等を防止することができ、安定した半導体装置を得ることができる。
【図面の簡単な説明】
【図１】  この発明の実施の形態における半導体装置を示す図である。
【図２】  封止部材の樹脂特性を示す表である。
【図３】  各サンプルの半導体チップ上に配置された内部能動領域の配置位置、及び金線の状態について説明する表である。
【図４】  各サンプルにおける評価を示した表である。
【図５】  半導体チップの中央に内部能動領域を配置した半導体装置について、各角付近に配置される金線の流れ曲率を測定した結果を示すグラフである。
【図６】  半導体チップの中央に内部能動領域を配置した半導体装置について、各角付近に配置される金線の流れ曲率を測定した結果を示すグラフである。
【図７】  各サンプルの金線の長さ、ダイパッドの沈め量及びトップループ長等の状態について説明する表である。
【図８】  各サンプルにおける評価を示した表である。
【図９】  各サンプルの内部能動領域の配置位置及び金線の状態について説明する表である。
【図１０】  各サンプルにおける評価を示した表である。
【図１１】  従来の半導体装置を説明するための模式図である。
【符号の説明】
１００、  ２００  半導体装置、  ２  半導体チップ、  ４  内部能動領域、６  外部能動領域、  ８  パッド、  １０  金線、  １０Ａ  第一の屈曲点、１０Ｃ  第二の屈曲点、  １２  ダイパッド、  １４  リード、  １４Ａ  インナーリード、  １４Ｂ  アウターリード、  １６  封止部材、  １６Ａ  充填口、  １６Ｂ  右角、  １６Ｃ  左角、  １６Ｄ  対向角。
【図１】
0004738675.tif 000002
【図２】
0004738675.tif 000003
【図３】
0004738675.tif 000004
【図４】
0004738675.tif 000005
【図５】
0004738675.tif 000006
【図６】
0004738675.tif 000007
【図７】
0004738675.tif 000008
【図８】
0004738675.tif 000009
【図９】
0004738675.tif 000010
【図１０】
0004738675.tif 000011
【図１１】
0004738675.tif 000012